(57)【要約】【課題】ＤＨＣＰによりＩＰアドレスが管理された通信システムにおいて印刷システムなどを正常に動作させることを目的とする。【解決手段】ＬＡＮ１には、デジタル複合機２、ＤＨＣＰサーバ３、端末装置４，４・・・、カラープリンタ５，５・・・が接続されている。デジタル複合機２でスキャニングされた画像情報は、端末装置４に作成された共有フォルダに格納される。端末装置４では、エージェントプログラム８２が動作しており、格納された画像情報を取得して、カラープリンタ５に対する印刷処理を実行する。このような画像転送印刷機能の情報は、デジタル複合機２で一元管理されているが、その情報の作成元は、各端末装置４のホスト名と対応付けられている。【選択図】図１
2008270956.tif 000002
【特許請求の範囲】
【請求項１】
ＤＨＣＰで管理された通信システムに接続された画像処理装置であって、
前記通信システムに接続された端末装置に対して画像情報を転送し、前記端末装置に印刷処理を実行させる転送印刷手段と、
前記端末装置から登録された前記転送印刷手段に関わる設定情報を記憶する手段と、
を備え、
前記設定情報において、登録元の前記端末装置が、ＤＨＣＰにより変更されない識別情報によって特定されていることを特徴とする画像処理装置。
【請求項２】
請求項１に記載の画像処理装置であって、
前記識別情報が、
前記端末装置のホスト名、
を含むことを特徴とする画像処理装置。
【請求項３】
ＤＨＣＰで管理された通信システムに接続された端末装置であって、
前記通信システムに接続された画像処理装置で実行される所定の処理結果を受信する手段と、
通信先である前記画像処理装置を指定する設定情報を記憶する手段と、
を備え、
前記設定情報において、通信先の前記画像処理装置が、ＤＨＣＰにより変更されない識別情報によって特定されていることを特徴とする端末装置。
【請求項４】
請求項３に記載の端末装置であって、
前記識別情報が、
前記画像処理装置のホスト名、
を含むことを特徴とする端末装置。
【発明の詳細な説明】
【技術分野】
【０００１】
本発明は、ＤＨＣＰサーバによりＩＰアドレスが管理された通信システムに関する。
【背景技術】
【０００２】
デジタル複合機で読み取ったカラーの画像情報を、一旦、エージェントプログラムが実装された端末装置に転送し、その端末装置を経由して別のカラープリンタから出力させる通信システムがある。この通信システムであれば、用途に応じてカラープリンタを選択活用できる。このような通信システムを利用した印刷機能を、画像転送印刷機能と呼ぶことにする。
【０００３】
このようなエージェントプログラムにより監視されるネットワーク上の共有フォルダの情報は、デジタル複合機において一元管理されている。そして、その情報の作成元を特定するために、端末装置のＩＰアドレスが用いられている。つまり、ＩＰアドレスを照合することで、共有フォルダに関する情報の書き換え権限を管理している。
【０００４】
また、端末装置にインストールされた情報モニタリングソフトにより、デジタル複合機における各種処理結果をモニタリング可能とした通信システムが存在する。たとえば、デジタル複合機における印刷処理結果がリアルタイムで端末装置に通知される。あるいは、デジタル複合機の共有フォルダに収容されるファクシミリ受信した画像情報などを端末装置から常時監視することができる。
【０００５】
このような情報モニタリングソフトにおいては、通信先（連携先）の情報として、デジタル複合機のＩＰアドレスが登録されている。
【０００６】
【特許文献１】特開２０００−１５３６５５号公報
【発明の開示】
【発明が解決しようとする課題】
【０００７】
昨今のネットワーク環境では、ＬＡＮ内にＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバが設置されることが多くなっている。この場合、ＬＡＮに接続されている端末装置やデジタル複合機は、電源が投入されたときに自動的にＤＨＣＰサーバに問い合わせてＩＰアドレスを取得する。
【０００８】
ところが、ＤＨＣＰサーバは各通信装置に対し、必ずしも毎回同一のＩＰアドレスを割り当てるとは限らない。このため、上述したように、ＩＰアドレスにより通信相手を特定している通信システムの場合、ＩＰアドレスが変化すると、通信相手が特定できずに通信システムが機能しなくなるという問題がある。ＩＰアドレスの設定を固定して利用することも考えられるが、設定操作や管理に手間を要し、利便性に欠ける。
【０００９】
上記特許文献１は、プリンタとそのプリンタを共有する複数の端末装置とがＬＡＮ内に配置された印刷システムに関するものである。この技術は、印刷環境の変更命令にロック機構を設け、特定のホスト名称の端末装置以外からの変更命令は拒否するようにしている。
【００１０】
このように、プリンタの印刷環境のロック制御に関しては、ホスト名称を利用しているものが存在する。しかし、上述したように、ネットワーク上の共有フォルダを介して、転送印刷を実行するシステムにおいては、転送印刷処理に関わる設定情報がＩＰアドレスにより管理されていた。
【００１１】
つまり、特許文献１で示す印刷環境設定は、特定のプリンタに設定され、当該プリンタを使用するユーザで共通に使用される設定である。したがって、あるユーザが好みの印刷環境を設定しようとした場合に、他のユーザにより設定された印刷環境を書き換えるかどうかという点にポイントがある。これに対して、上述した転送印刷設定は、特定のプリンタに対して設定される情報ではなく、ネットワークシステム上に設定される情報であり、複数の設定が可能である。したがって、本来は、各ユーザが好みの転送印刷設定を登録すればよいのであって、特許文献１で示されるような問題はない。ところが、ＤＨＣＰの利用により、登録元の端末装置のＩＰアドレスが変更するという現象が発生し、自端末で設定した情報であるにも関わらず、同じ端末から設定変更ができないといった問題が発生するのである。
【００１２】
同様に、デジタル複合機における処理結果などをモニタリングするソフトウェアに関しては、その通信先設定としてデジタル複合機のＩＰアドレスを指定するようにしていた。この場合にも、やはり、ＤＨＣＰによりＩＰアドレスが変更されると、通信システムが正常に動作しないという問題が発生するのである。
【００１３】
そこで、本発明は前記問題点に鑑み、ＤＨＣＰ設定によりＩＰアドレスが設定されるネットワーク環境において、通信システムを正常に動作させるための技術を提供することを目的とする。
【課題を解決するための手段】
【００１４】
上記課題を解決するため、請求項１記載の発明は、ＤＨＣＰで管理された通信システムに接続された画像処理装置であって、前記通信システムに接続された端末装置に対して画像情報を転送し、前記端末装置に印刷処理を実行させる転送印刷手段と、前記端末装置から登録された前記転送印刷手段に関わる設定情報を記憶する手段と、を備え、前記設定情報において、登録元の前記端末装置が、ＤＨＣＰにより変更されない識別情報によって特定されていることを特徴とする。
【００１５】
請求項２記載の発明は、請求項１に記載の画像処理装置であって、前記識別情報が、前記端末装置のホスト名、を含むことを特徴とする。
【００１６】
請求項３記載の発明は、ＤＨＣＰで管理された通信システムに接続された端末装置であって、前記通信システムに接続された画像処理装置で実行される所定の処理結果を受信する手段と、通信先である前記画像処理装置を指定する設定情報を記憶する手段と、を備え、前記設定情報において、通信先の前記画像処理装置が、ＤＨＣＰにより変更されない識別情報によって特定されていることを特徴とする。
【００１７】
請求項４記載の発明は、請求項３に記載の端末装置であって、前記識別情報が、前記画像処理装置のホスト名、を含むことを特徴とする。
【発明の効果】
【００１８】
本発明の画像処理装置は、画像転送印刷機能を備える。そして、その転送印刷機能に関わる設定情報において、登録元の端末装置が、ＤＨＣＰにより変更されない識別情報によって特定されている。これにより、端末装置が再起動などを行い、付与されるＩＰアドレスが変化した場合であっても、登録元の端末装置であるか否かを正確に判断することができる。これにより、自装置で登録したにも関わらず、画像転送印刷設定の変更が不可能になるといった問題を回避できる。
【００１９】
本発明の端末装置は、画像処理装置で実行される所定の処理結果を受信する機能を備える。そして、通信先である画像処理装置をＤＨＣＰにより変更されない識別情報によって特定している。これにより、画像処理装置が再起動などを行い、付与されるＩＰアドレスが変化した場合であっても、画像処理装置と連携した通信システムを正常に動作させることが可能である。
【発明を実施するための最良の形態】
【００２０】
以下、図面を参照しつつ本発明の実施の形態について説明する。図１に本発明にかかる通信システムの全体図を示す。この通信システムは、ＬＡＮ１と、ＬＡＮ１に接続されたデジタル複合機２、ＤＨＣＰサーバ３、複数の端末装置４，４・・・、複数のカラープリンタ５，５・・・などを備えて構成される。
【００２１】
この通信システムを利用することで、ユーザは、画像情報を用いた様々なサービスを受けることができる。たとえば、デジタル複合機２で読み取られたカラーの画像情報を、端末装置４を経由させて、いずれかのカラープリンタ５から出力させる機能（画像転送印刷機能）が利用可能である。あるいは、デジタル複合機２における各種処理結果を端末装置４においてモニタリングする機能（情報モニタリング機能）が利用可能である。
【００２２】
ＤＨＣＰサーバ３は、ＤＨＣＰクライアント機能を有するデジタル複合機２や各端末装置４からＩＰアドレスの割り当て要求を受け付けて、ＩＰアドレスを割り当てる処理を実行する。ＤＨＣＰサーバ３がデジタル複合機２や各端末装置４に割り当てるＩＰアドレスは固定ではない。つまり、デジタル複合機２や各端末装置４には、起動するたびに異なるＩＰアドレスが割当てられる可能性がある。
【００２３】
端末装置４は、個々のユーザが使用するコンピュータであり、たとえばパーソナルコンピュータが用いられる。各端末装置４は、記憶装置内に、ネットワーク情報８１を格納している。また、各端末装置４には、エージェントプログラム８２および情報モニタリングプログラム８３がインストールされている。
【００２４】
ネットワーク情報８１は、端末装置４のホスト名やＩＰアドレスなどの情報を含んでいる。つまり、ネットワーク情報８１は、端末装置４が通信を行うために、自装置を特定するための情報である。上述したように、このＩＰアドレスは、ＤＨＣＰサーバ３から取得したものである。
【００２５】
エージェントプログラム８２は、設定された共有フォルダに格納されたカラー画像情報を印刷制御するためのソフトウェアである。エージェントプログラム８２は、設定された共有フォルダを監視する。この共有フォルダには、デジタル複合機２でスキャニングされたカラーの画像情報が格納される。共有フォルダにカラーの画像情報が格納されると、エージェントプログラム８２は、このカラー画像情報を、所定のカラープリンタ５から印刷出力するのである。
【００２６】
情報モニタリングプログラム８３は、デジタル複合機２において実行された各種処理の処理結果情報を受信するとともに、処理結果情報をディスプレイ上に表示するソフトウェアである。
【００２７】
これらエージェントプログラム８２および情報モニタリングプログラム８３は、端末装置４の常駐プログラムとして動作している。したがって、エージェントプログラム８２は、共有フォルダを常時監視し、画像情報が格納された時点で印刷処理を実行する。また、情報モニタリングプログラム８３は、デジタル複合機２から情報を受信すると、リアルタイムで情報表示を行うのである。
【００２８】
デジタル複合機２は、表示部２１、画像読取部２２、通信部２３、処理部２４、記憶部２５を備え、一台でプリンタ機能やファクシミリ機能、コピー機能、スキャン機能などの複数の機能が発揮できる多機能周辺装置（ＭＦＰ）である。なお、図示および説明は省略するが、印刷部や操作部等も備えている。
【００２９】
表示部２１は、液晶パネルやＬＥＤランプなどで構成されている。液晶パネルには、デジタル複合機２の各種設定状態や動作状態などが文字や図形を用いて表示される。また、液晶パネルには、表示されたアイコンに触れるだけで操作可能なタッチパネルが切り替え可能に表示される。つまり、ユーザは表示部２１を介してデジタル複合機２に指示を行うことができ、表示部２１は操作部としての機能も兼ねている。
【００３０】
画像読取部２２は、原稿等を光学的に読み取って画像情報に変換する処理を行う。たとえば、カラー印刷された原稿を読み取ってカラーの画像情報を生成する。
【００３１】
通信部２３は、ＬＡＮ１に接続されている各端末装置４，４・・・やＤＨＣＰサーバ３等との通信処理を行う。たとえば、デジタル複合機２が起動されたときには、処理部２４と協働してＤＨＣＰサーバ３にアクセスしてデジタル複合機２のＩＰアドレスの割り当て要求を行い、ＤＨＣＰサーバ３から割り当てられたＩＰアドレスを受信する。
【００３２】
処理部２４は、デジタル複合機２が備える各部と協働して、デジタル複合機２が発揮する各機能の処理を制御し実行する。たとえば、取得した画像情報に対して符号化や復号を実行する画像処理や、通信部２３と協働して画像情報を各端末装置４に送信する処理等を実行する。
【００３３】
記憶部２５は、ネットワーク情報７１と転送印刷情報７２とを記憶している。ネットワーク情報７１は、デジタル複合機２のホスト名やＩＰアドレスなどの情報を含んでいる。つまり、ネットワーク情報７１は、デジタル複合機２が通信を行うために、自装置を特定するための情報である。上述したように、このＩＰアドレスは、ＤＨＣＰサーバ３から取得したものである。
【００３４】
図２は、表示部２１に表示されるデジタル複合機２のネットワーク設定画面２０１を示す。ネットワーク情報７１として、デジタル複合機２のホスト名２１１とＩＰアドレス２１２とが関連付けて表示されている。ホスト名２１１は、表示部２１からのユーザの操作によって変更や登録が可能であり、いったん登録すれば変更しない限り変化することはないが、ＩＰアドレス２１２は、ＤＨＣＰサーバ３から自動的に割り振られるため変更される可能性がある。
【００３５】
もちろん、デジタル複合機２では、ＩＰアドレスを固定で設定することも可能であるが、一般には、ＩＰアドレスを固定とする管理は、煩雑である。したがって、本実施の形態においては、デジタル複合機２についても、ＤＨＣＰを利用し、ＩＰアドレスの自動割り当てを行っている。したがって、ネットワーク設定画面２０１には、自動割り当てされたＩＰアドレス２１２が表示されている。
【００３６】
なお、ホスト名２１１のデフォルトは、デジタル複合機２に固有のＭＡＣアドレスが設定されている。ＭＡＣアドレスはその機器固有のＩＤ番号であるため、デジタル複合機２のＭＡＣアドレスをデフォルトにしておくことで、ホスト名２１１の重複によるトラブルを有効に回避できる。
【００３７】
図２で示した例では、ホスト名２１１として、ＭＡＣアドレスを利用せず、ネットワーク管理者によって付与された名称が用いられている。つまり、本実施の形態においては、運用により、ホスト名２１１がユニークなものとなるよう管理されているのである。
【００３８】
転送印刷情報７２は、上述した画像転送印刷機能に関する設定情報である。転送印刷情報７２は、図３に示すように、複数の個別情報７２１を含んでいる。各個別情報７２１は、フォルダ名情報、ホスト名情報、アカウント情報、パスワード情報、プリンタ情報を含んでいる。本実施の形態においては、転送印刷情報７２として、５件の個別情報７２１が登録可能となっている。
【００３９】
フォルダ名情報は、転送印刷機能を実行するときに、画像情報を格納するネットワーク上のフォルダのパス名を指定した情報である。ホスト名情報は、転送印刷情報７２を作成した端末を識別する情報である。各個別情報７２１は、異なる端末装置４によって作成されることが可能であり、各個別情報７２１に作成元の端末装置４に対応したホスト名４１１が登録されている。アカウント情報、パスワード情報は、フォルダ名情報で指定されたフォルダに対する認証情報である。プリンタ情報は、フォルダ名情報で指定されたフォルダに画像情報が格納されたときに、印刷出力先となるプリンタを指定する情報である。
【００４０】
デジタル複合機２は、画像転送印刷機能を実行する指示がされると、フォルダ名情報で指定されたネットワーク上の共有フォルダにスキャニングした画像情報を格納する。この共有フォルダは、たとえば端末装置４内に作成されている。そして、端末装置４にインストールされているエージェントプログラム８２は、この共有フォルダを監視しており、共有フォルダ内にスキャニング画像情報が格納されると、この画像情報を登録されているカラープリンタ５から印刷出力するのである。この印刷先のカラープリンタ５は、エージェントプログラム８２の設定情報として登録されている。また、上記のように、この印刷先のカラープリンタ５は、転送印刷情報７２のプリンタ情報として登録されている。
【００４１】
このように画像転送印刷機能を利用するための情報である転送印刷情報７２は、デジタル複合機２において一元管理されているが、この情報は、端末装置４において登録操作が行われる。
【００４２】
図４は、端末装置４のディスプレイに表示される転送印刷設定画面４０１を示す。ここでは、ホスト名として“ＭＵ０１”が設定されている端末装置４において転送印刷設定画面４０１が表示されている場合を例に説明する。この転送印刷設定画面４０１は、エージェントプログラム８２の一機能として提供されている。
【００４３】
上述したように、本実施の形態では転送印刷情報７２として、５件の個別情報７２１の登録が可能となっている。つまり、デジタル複合機２で取得された画像情報を所定のカラープリンタ５に出力する設定が５パターン登録可能となっている。
【００４４】
図４に示すように、転送印刷設定画面４０１には、５パターンの個別情報７２１が列挙されている。このうち、他の端末装置４（“ＭＵ０１”以外の端末装置４）によって登録されている個別情報７２１については、「使用中」と表示されている。つまり、“ＭＵ０１”からは設定の変更が不可能な状態を示している。また、未登録の個別情報７２１に対しては「未登録」と表示されている。つまり、“ＭＵ０１”において、新たな個別情報７２１が設定可能な状態を示している。これに対して、自装置（“ＭＵ０１”）で登録した個別情報７２１には登録されているフォルダ名が表示されている。
【００４５】
つまり、図３に示したように、５つの個別情報７２１が登録可能となっているが、このうち、自装置（“ＭＵ０１”）により登録された１番目の個別情報７２１の共有フォルダ名“ＡＡＡ”が表示されている。そして、他の端末装置（“ＭＵ０２”、“ＭＵ０３”）で登録された個別情報７２１については、「使用中」と表示されている。また、図２で示したように、５番目の設定は未登録であるため、転送印刷設定画面４０１にも、「未登録」と表示されているのである。
【００４６】
ここでユーザは、図に示すように、共有フォルダ名（“ＡＡＡ”）の横のチェックボックスにチェックを入れ、「登録／変更」ボタンを押下することで、この個別情報７２１の設定情報を変更可能である。これに対して、「使用中」と表示されている他の個別情報７２１に対しては、個別情報７２１の変更操作などが不可能となっている。このように、登録を行ったユーザのみが、その登録した転送印刷設定の内容の変更や削除等をすることができるのである。
【００４７】
そして、登録を行ったユーザであるかどうかの判断には、端末装置４のホスト名４１１を利用することとしている。端末装置４のエージェントプログラム８２は、転送印刷設定画面４０１を表示させるとき、デジタル複合機２にアクセスして、転送印刷情報７２を取得する。そして、この転送印刷情報７２には、各個別情報７２１についてホスト名４１１が登録されている。したがって、エージェントプログラム８２は、ホスト名４１１が一致する個別情報７２１についてのみ、変更可能に転送印刷設定画面４０１を表示させるのである。図４の例であれば、転送印刷設定画面４０１を起動しているのは、“ＭＵ０１”である。したがって、ホスト名４１１として“ＭＵ０１”が設定されている個別情報７２１については、変更可能となっているのである。
【００４８】
このように、転送印刷設定の変更権限の判断に、端末装置４のホスト名４１１を利用しているので、本実施の形態のように、ＤＨＣＰによりＩＰアドレスが管理されている場合であっても、変更権限の判断を誤ることがない。つまり、端末装置４が再起動され、ＩＰアドレスが変化した場合であっても、ホスト名４１１により照合が行われ、変更権限を正当に判断することができるのである。
【００４９】
たとえば、自端末で登録した転送印刷情報７２であるにも関わらず、ＩＰアドレスが変化したために、同じ端末から変更操作ができないといった問題を回避することが可能である。
【００５０】
次に、情報モニタリングプログラム８３を利用した情報表示機能について説明する。上述したように、端末装置４には、情報モニタリングプログラム８３が格納されている。この情報モニタリングプログラム８３は、デジタル複合機２において実行される各種処理の処理結果などを受信するとともに、端末装置４のディスプレイに適宜情報表示を行う。
【００５１】
たとえば、端末装置４は、ＬＡＮ１経由で、デジタル複合機２に対して印刷出力指示を送信することができる。そして、デジタル複合機２は、印刷処理を実行すると、その処理に関わるステータス情報、処理結果情報などを端末装置４に送信するのである。そして、端末装置４の情報モニタリングプログラム８３は、デジタル複合機２から送信されたステータス情報、処理結果情報などを受信し、その情報を端末装置４のディスプレイ上に表示させるのである。たとえば、ポップアップ表示を行うなどして、情報を表示させる。
【００５２】
このように、情報モニタリングプログラム８３は、デジタル複合機２と通信を行って、各種の情報表示処理を実行する。したがって、情報モニタリングプログラム８３が正常に動作するためには、端末装置４に通信先としてデジタル複合機２を設定しておく必要がある。たとえば、情報モニタリングプログラム８３の設定ファイルやレジストリなどにデジタル複合機２を特定する情報が記録される。
【００５３】
図５は、通信先としてデジタル複合機２を登録するための通信先設定画面４０２を示す図である。この通信先設定画面４０２は、情報モニタリングプログラム８３の一機能として提供されている。この通信先設定画面４０２では、通信先のデジタル複合機２のホスト名２１１と、ＨＴＴＰポートＮｏ（通常は、ポート８０など）、クライアント用ポートＮｏが設定可能となっている。ユーザは、端末装置４において、この通信先設定画面４０２を起動させ、デジタル複合機２のホスト名２１１を入力することで、通信先（連携先）のデジタル複合機を登録するのである。図の例であれば、通信先として、ホスト名“ＭＦＰ−ＥＡＳＴ”が入力されている。このホスト名２１１は、図２を用いて説明したように、デジタル複合機２において設定されているホスト名２１１である。つまり、ネットワーク管理者によって管理されたユニークな名称である。
【００５４】
このように、通信先設定画面４０２において、通信先のデジタル複合機２をホスト名２１１により登録するようにしている。したがって、デジタル複合機２が再起動し、ＤＨＣＰにより異なるＩＰアドレスが付与されたとしても、通信相手が特定できなくなるといった問題は発生しない。ネットワーク管理者により一元管理され、デジタル複合機２をユニークに識別するホスト名２１１を用いることで、常に、このネットワークシステムを正常に動作させることが可能である。通信処理を行う際には、まず、設定されたホスト名２１１を用いて名前解決を行い、ＩＰアドレスを取得する。そして、そのＩＰアドレスを用いて通信を行うのである。
【００５５】
もちろん、上述したように、デジタル複合機２においてＭＡＣアドレスがそのままホスト名として使用されている場合には、通信先設定画面４０２において、同様に、デジタル複合機２のＭＡＣアドレスをホスト名２１１として指定すればよい。
【００５６】
このように情報モニタリングプログラム８３における通信先設定（連携先設定）として、デジタル複合機２のホスト名２１１を登録する場合を例に説明したが、前述した画像転送印刷機能の場合にも、同様である。つまり、エージェントプログラム８２における通信先設定（連携先設定）として、デジタル複合機２を登録する場合、同様に、ホスト名によりデジタル複合機２を登録するようにすればよい。
【００５７】
上記の実施の形態において、画像転送印刷機能を実行するためにＬＡＮ１に接続されたカラープリンタ５を用いた。しかし、プリンタは、カラーであることは必須でなく、もちろんモノクロのレーザープリンタなどを用いても良い。
【００５８】
上記の実施の形態においては、ＤＨＣＰによって変更されない識別情報の１つとしてホスト名を用いた。ホスト名としては、たとえば、ＳＭＢプロトコルで用いられているホスト名を利用することが可能である。また、上記の実施の形態においては、ネットワークに接続されたデジタル複合機２と端末装置４との間で、ホスト名を用いた設定情報の登録や連携を行う場合を例に説明したが、この発明を、ネットワークに接続されたＦＡＸ機、スキャナ、コピー機などにも適用可能である。
【図面の簡単な説明】
【００５９】
【図１】本発明の通信システムを示す図である。
【図２】デジタル複合機のネットワーク設定画面を示す図である。
【図３】デジタル複合機で管理されている転送印刷情報の登録例を示す図である。
【図４】端末装置のディスプレイに表示された転送印刷設定画面を示す図である。
【図５】情報モニタリングプログラムによる通信先設定画面を示す図である。
【符号の説明】
【００６０】
１  ＬＡＮ
２  デジタル複合機
３  ＤＨＣＰサーバ
４  端末装置
５  カラープリンタ
７２  転送印刷情報
４０１  転送印刷設定画面
４０２  通信先設定画面
【図１】
2008270956.tif 000003
【図２】
2008270956.tif 000004
【図３】
2008270956.tif 000005
【図４】
2008270956.tif 000006
【図５】
2008270956.tif 000007